(57)【特許請求の範囲】
【請求項１】
作業対象の施設の作業図面を示す作業図面情報を表示し、該作業図面情報上に示される所定の作業場所を選択すると、作業を構成する複数の工程のうち、該選択した作業場所に対応する個別の工程を選択する個別工程選択手段と、
前記個別工程選択手段により前記個別の工程が選択されると、該選択された個別の工程に関連する項目の候補を複数表示する項目表示手段と、
前記複数の項目の候補のうち、所定の項目を選択する項目選択手段と、
前記作業図面を介して選択された工程において前記所定の項目を選択した後で、作業現場の風景を撮影する撮影手段と、
前記撮影により生成した画像情報に対し、前記選択した項目を示す選択項目情報を付加し保存する項目付加手段とを有することを特徴とする作業情報登録装置。
【請求項２】
前記個別工程選択手段は、複数の前記個別の工程から構成される作業全体の流れを示す作業工程表情報を表示し、該作業工程表情報上に示される前記個別の工程の名称を選択することを特徴とする請求項１記載の作業情報登録装置。
【請求項３】
１以上のフォルダの名称を決定して生成するフォルダ生成手段と、
前記撮影手段による撮影の前に、前記生成した１以上のフォルダから任意のフォルダを指定するフォルダ指定手段と、
前記指定したフォルダを特定するフォルダ特定情報を前記撮影手段により生成した画像情報に付加して保存するフォルダ特定情報付加手段とを有することを特徴とする請求項１又は２記載の作業情報登録装置。
【請求項４】
前記項目表示手段は、縦方向に回転するリール状のリストボックスを横方向に複数並べて表示することを特徴とする請求項１から３のいずれか１項に記載の作業情報登録装置。
【請求項５】
請求項１から４のいずれか１項に記載の作業情報登録装置と、該作業情報登録装置とネットワークを介して接続される作業情報管理サーバとを有して構成される作業情報管理システムであって、
前記作業情報登録装置は、
前記選択項目情報が付加された画像情報を前記作業情報管理サーバへ送信する情報送信手段を有し、
前記作業情報管理サーバは、
複数の前記個別の工程から構成される作業全体の流れを示す作業工程表情報を格納する工程表格納手段と、
作業対象の施設の作業図面を示す作業図面情報を格納する作業図面格納手段と、
前記選択項目情報が付加された画像情報を前記作業情報登録装置から受信すると、該受信した選択項目情報に基づいて該当する個別の工程を特定し、該選択項目情報が付加された画像情報を、前記作業工程表情報における該当する個別の工程と、前記作業図面情報における該当する作業場所とに対応付けて格納する画像情報格納手段とを有することを特徴とする作業情報管理システム。
【請求項６】
作業対象の施設の作業図面を示す作業図面情報を表示し、該作業図面情報上に示される所定の作業場所を選択すると、作業を構成する複数の工程のうち、該選択した作業場所に対応する個別の工程を選択し、該個別の工程が選択されると、該選択された個別の工程に関連する項目の候補を複数表示し、該複数の項目の候補のうち、所定の項目を選択した後で、作業現場において各作業工程に係る画像の撮影を行い、該撮影した画像情報に前記選択した所定の項目を示す選択項目情報を付加して格納する作業情報登録装置と、
前記作業情報登録装置とネットワークを介して接続され前記選択項目情報が付加された画像情報を前記作業情報登録装置から受信して登録する作業情報管理サーバと、前記作業情報管理サーバから前記選択項目情報が付加された画像情報を受信して表示する作業情報確認装置とを有して構成されることを特徴とする作業情報管理システム。
【請求項７】
前記作業情報確認装置は、前記作業工程に係る内容を示す項目情報を複数階層で構成するツリー構造の項目情報として格納し、該ツリー構造の項目情報を前記作業情報管理サーバへ送信して登録し、
前記作業情報登録装置は、前記作業情報管理サーバに登録されたツリー構造の項目情報を受信して格納し、各作業工程の撮影を行うとき、前記ツリー構造の項目情報から、前記画像情報に該作業工程に係る項目情報を前記選択項目情報として選択し付加して、前記作業情報管理サーバへ送信して登録し、
前記作業情報確認装置は、前記ツリー構造の各項目情報に対応したフォルダを格納し、前記選択された項目情報である選択項目情報が付加された画像情報を前記作業情報管理サーバから受信すると、該選択項目情報に基づいて該当する前記フォルダに振り分けて格納し、
画面上で前記ツリー構造の各項目情報に対応したフォルダのいずれかが選択されると、該選択されたフォルダに格納された画像情報が表示されることを特徴とする請求項６記載の作業情報管理システム。
【請求項８】
前記作業情報登録装置は、前記各作業工程の撮影を行うとき、前記画像情報に現在位置を示す位置情報を付加して、前記作業情報管理サーバへ送信して登録し、
前記作業情報確認装置は、地図情報を格納し、前記フォルダ内の画像情報が選択されたとき、該選択された画像情報に付加された位置情報に対応した位置を前記地図情報の画像上に表示することを特徴とする請求項６又は７記載の作業情報管理システム。
【請求項９】
前記作業情報確認装置は、複数の作業工程から構成される作業全体の流れを示す作業工程表情報を格納し、
前記選択項目情報が付加された画像情報を前記作業情報管理サーバから受信すると、該受信した選択項目情報に基づいて該当する作業工程を特定し、該選択項目情報が付加された画像情報を、前記作業工程表情報における該当する作業工程に対応付けて格納することを特徴とする請求項６から８のいずれか１項に記載の作業情報管理システム。
【請求項１０】
前記作業情報登録装置は、各作業工程の撮影を行うとき、現在位置を計測し、該計測した現在位置を示す位置情報を前記画像情報に付加して、前記作業情報管理サーバへ送信して登録し、
前記作業情報確認装置は、作業対象の施設の作業図面を示す作業図面情報を格納し、前記位置情報が付加された画像情報を前記作業情報管理サーバから受信すると、該位置情報が付加された画像情報を、該受信した位置情報に基づいて、前記作業図面情報の図面画面上に該当する作業場所に対応付けて格納することを特徴とする請求項６から９のいずれか１項に記載の作業情報管理システム。
【発明の詳細な説明】
【技術分野】
【０００１】
本発明は、作業情報登録装置及び作業情報管理システムに関し、特に、作業の進捗状況を記録し、管理する作業情報登録装置及び作業情報管理システムに関する。
【背景技術】
【０００２】
一般に、巨大な建築物の建築や広大な地域の調査等、規模の大きな作業は、多くの複雑な工程を踏み、多くの作業員の手によって行われる必要がある。
このような規模の大きな作業では、各作業員が他の作業員の作業内容や進捗状況を把握することは困難であるのはもちろんのこと、作業全体を把握すべき監督者であっても、把握が困難となってしまうおそれがある。
【０００３】
上記のような複雑な作業を把握しやすくする手法の１つに、各作業工程における作業風景等を撮影し、その画像を管理するというものがある。
このように各工程の画像を管理することにより、作業内容や進捗状況を一目で把握することができるようになる。
【０００４】
上記のような作業工程における内容や進捗状況を画像で管理するものとして、特許文献１が開示するところのウェアラブル監視カメラシステムが提案されている。
この監視カメラシステムは、作業を撮影する際に、ＧＰＳによる位置情報や時刻情報を文字情報で自動取得し、これらを撮影映像の１フレームごとに刻印するというものである。
【先行技術文献】
【特許文献】
【０００５】
【特許文献１】特開２００６−１４８８４２
【発明の概要】
【発明が解決しようとする課題】
【０００６】
しかしながら、上記特許文献１における監視カメラシステムは、上記の通り、ＧＰＳによる位置情報や時刻情報を画像情報に刻印できるものの、詳細な作業内容や具体的な作業場所、その他ユーザによる任意の項目を画像に対応付けないため、その後、撮影した映像を整理する際、どの映像がどの作業工程を示しているかが参照しづらく、結果として作業内容及び進捗状況の把握が困難になってしまうという問題が生じる。
また、仮に、特許文献１の監視カメラシステムを用いて、詳細な作業内容や具体的な作業場所、その他ユーザによる任意の項目を画像に対応付けようとすると、各映像ごとに文字情報を付加させるといった煩雑な編集作業が必要となってしまう。
【０００７】
本発明は、上記問題点に鑑みてなされたものであり、各作業工程において撮影した画像に容易に文字情報又は画像情報を付加し、作業の各工程の内容や進捗状況を容易に把握可能な作業情報登録装置及び作業情報管理システムを提供することを目的とする。
【課題を解決するための手段】
【０００８】
かかる目的を達成するため、本発明における作業情報登録装置は、作業対象の施設の作業図面を示す作業図面情報を表示し、作業図面情報上に示される所定の作業場所を選択すると、作業を構成する複数の工程のうち、選択した作業場所に対応する個別の工程を選択する個別工程選択手段と、個別工程選択手段により個別の工程が選択されると、選択された個別の工程に関連する項目の候補を複数表示する項目表示手段と、複数の項目の候補のうち、所定の項目を選択する項目選択手段と、作業図面を介して選択された工程において所定の項目を選択した後で、作業現場の風景を撮影する撮影手段と、撮影により生成した画像情報に対し、選択した項目を示す選択項目情報を付加し保存する項目付加手段とを有することを特徴とする。
【０００９】
また、上記個別工程選択手段は、複数の個別の工程から構成される作業全体の流れを示す作業工程表情報を表示し、作業工程表情報上に示される個別の工程の名称を選択することを特徴とする。
【００１１】
また、上記作業情報登録装置は、１以上のフォルダの名称を決定して生成するフォルダ生成手段と、撮影手段による撮影の前に、生成した１以上のフォルダから任意のフォルダを指定するフォルダ指定手段と、指定したフォルダを特定するフォルダ特定情報を撮影手段により生成した画像情報に付加して保存するフォルダ特定情報付加手段とを有することを特徴とする。
【００１２】
また、上記項目表示手段は、縦方向に回転するリール状のリストボックスを横方向に複数並べて表示することを特徴とする。
【００１３】
また、本発明は、上記作業情報登録装置と、作業情報登録装置とネットワークを介して接続される作業情報管理サーバとを有して構成される作業情報管理システムであって、作業情報登録装置は、選択項目情報が付加された画像情報を作業情報管理サーバへ送信する情報送信手段を有し、作業情報管理サーバは、複数の個別の工程から構成される作業全体の流れを示す作業工程表情報を格納する工程表格納手段と、作業対象の施設の作業図面を示す作業図面情報を格納する作業図面格納手段と、選択項目情報が付加された画像情報を作業情報登録装置から受信すると、受信した選択項目情報に基づいて該当する個別の工程を特定し、選択項目情報が付加された画像情報を、作業工程表情報における該当する個別の工程と、作業図面情報における該当する作業場所とに対応付けて格納する画像情報格納手段とを有することを特徴とする。
【００１４】
また、本発明における作業情報管理システムによれば、作業対象の施設の作業図面を示す作業図面情報を表示し、作業図面情報上に示される所定の作業場所を選択すると、作業を構成する複数の工程のうち、選択した作業場所に対応する個別の工程を選択し、個別の工程が選択されると、選択された個別の工程に関連する項目の候補を複数表示し、複数の項目の候補のうち、所定の項目を選択した後で、作業現場において各作業工程に係る画像の撮影を行い、撮影した画像情報に選択した所定の項目を示す選択項目情報を付加して格納する作業情報登録装置と、作業情報登録装置とネットワークを介して接続され選択項目情報が付加された画像情報を作業情報登録装置から受信して登録する作業情報管理サーバと、作業情報管理サーバから選択項目情報が付加された画像情報を受信して表示する作業情報確認装置とを有して構成されることを特徴とする。
【００１５】
また、本発明における作業情報管理システムによれば、作業情報確認装置は、作業工程に係る内容を示す項目情報を複数階層で構成するツリー構造の項目情報として格納し、ツリー構造の項目情報を作業情報管理サーバへ送信して登録し、作業情報登録装置は、作業情報管理サーバに登録されたツリー構造の項目情報を受信して格納し、各作業工程の撮影を行うとき、ツリー構造の項目情報から、画像情報に作業工程に係る項目情報を選択項目情報として選択し付加して、作業情報管理サーバへ送信して登録し、作業情報確認装置は、ツリー構造の各項目情報に対応したフォルダを格納し、選択された項目情報である選択項目情報が付加された画像情報を作業情報管理サーバから受信すると、選択項目情報に基づいて該当するフォルダに振り分けて格納し、画面上でツリー構造の各項目情報に対応したフォルダのいずれかが選択されると、選択されたフォルダに格納された画像情報が表示されることを特徴とする。
【００１６】
また、本発明における作業情報管理システムによれば、作業情報登録装置は、各作業工程の撮影を行うとき、画像情報に現在位置を示す位置情報を付加して、作業情報管理サーバへ送信して登録し、作業情報確認装置は、地図情報を格納し、フォルダ内の画像情報が選択されたとき、選択された画像情報に付加された位置情報に対応した位置を地図情報の画像上に表示することを特徴とする。
【００１７】
また、本発明における作業情報管理システムによれば、作業情報確認装置は、複数の作業工程から構成される作業全体の流れを示す作業工程表情報を格納し、選択項目情報が付加された画像情報を作業情報管理サーバから受信すると、受信した選択項目情報に基づいて該当する作業工程を特定し、選択項目情報が付加された画像情報を、作業工程表情報における該当する作業工程に対応付けて格納することを特徴とする。
【００１８】
また、本発明における作業情報管理システムによれば、作業情報登録装置は、各作業工程の撮影を行うとき、現在位置を計測し、計測した現在位置を示す位置情報を画像情報に付加して、作業情報管理サーバへ送信して登録し、作業情報確認装置は、作業対象の施設の作業図面を示す作業図面情報を格納し、位置情報が付加された画像情報を作業情報管理サーバから受信すると、位置情報が付加された画像情報を、受信した位置情報に基づいて、作業図面情報の図面画面上に該当する作業場所に対応付けて格納することを特徴とする。
【００１９】
なお、以上の構成要素の任意の組合せや、本発明の構成要素や表現を方法、装置、システム、コンピュータプログラム、コンピュータプログラムを格納した記録媒体などの間で相互に置換したものもまた、本発明の態様として有効である。
【発明の効果】
【００２０】
本発明における作業情報登録装置は、作業を構成する複数の工程のうち個別の工程を選択する個別工程選択手段と、個別工程選択手段により個別の工程が選択されると、該選択された個別の工程に関連する項目の候補を複数表示する項目表示手段と、複数の項目の候補のうち、所定の項目を選択する項目選択手段と、所定の項目を選択した状態で撮影する撮影手段と、撮影により生成した画像情報に対し、選択した項目を示す選択項目情報を付加し保存する項目付加手段とを有するので、その撮影画像を容易に整理することができるとともに、作業の各工程の内容や進捗状況を容易に把握することが可能となる。特に、複数の作業員がそれぞれ個別の工程を担当するような規模の大きな作業であっても、各作業員及び作業監督が、各工程の作業内容や進捗状況を容易に把握することが可能となる。
【図面の簡単な説明】
【００２１】
【図１】本発明の第１の実施の形態における作業情報管理システムの構成を示す図である。
【図２】本発明の第１の実施の形態における作業情報登録装置の構成を示す図である。
【図３】本発明の第１の実施の形態における作業情報管理サーバの構成を示す図である。
【図４】本発明の第１の実施の形態における作業情報登録装置による個別工程画像情報の登録動作の流れを示すフローチャートであり、作業工程表情報を表示した後に登録する場合を示したものである。
【図５】本発明の第１の実施の形態における作業工程表情報の一例を示す図である。
【図６】本発明の第１の実施の形態における項目情報の一例を示す図である。
【図７】本発明の第１の実施の形態における撮影部のカメラのファインダ画面の一例を示す図である。
【図８】本発明の第１の実施の形態における作業情報管理サーバによる個別工程画像情報の登録動作の流れを示すフローチャートである。
【図９】本発明の第１の実施の形態における作業図面情報の一例を示す図である。
【図１０】本発明の第１の実施の形態において、作業情報登録装置又は作業情報確認装置に表示される、個別工程付加情報が付加された個別工程画像情報の一例を示す図である。
【図１１】本発明の第１の実施の形態における作業情報登録装置による個別工程画像情報の登録動作の流れを示すフローチャートであり、作業図面情報を表示した後に登録する場合を示したものである。
【図１２】本発明の第１の実施の形態における作業情報登録装置による個別工程画像情報の登録動作の流れを示すフローチャートであり、その個別工程画像情報を管理するフォルダを指定した後に登録する場合を示したものである。
【図１３】本発明の第２の実施の形態における作業情報確認装置の構成を示す図である。
【図１４】本発明の第２の実施の形態におけるツリー構造の項目情報の一例を示す図である。
【図１５】本発明の第２の実施の形態において、ツリー構造の項目情報が作業情報登録装置の情報格納部に登録された後の、作業情報登録装置による画像撮影時の画面情報の一例を示す図である。
【図１６】本発明の第２の実施の形態における作業情報管理サーバの情報格納部に登録された個別工程画像情報及びこれに対応した個別工程付加情報の一例を示す図である。
【図１７】本発明の第２の実施の形態における作業情報確認装置の表示部上において、ツリー構造の項目情報のフォルダが表示される画面情報の一例を示す図である。
【図１８】本発明の第２の実施の形態における最下位階層の項目情報のフォルダ内に格納されている個別工程画像情報及びこれに対応した個別工程付加情報の表示画面の一例を示す図である。
【図１９】本発明の第２の実施の形態における地図情報の一例を示す図である。
【図２０】本発明の第２の実施の形態における作業情報管理システムによる個別工程画像情報及びこれに対応した個別工程付加情報の登録動作の流れを示すシーケンスチャートである。
【発明を実施するための形態】
【００２２】
〔第１の実施の形態〕
＜第１の実施の形態の概略＞
本発明における作業情報管理システムは、建築等の作業を構成する複数の作業工程の作業現場を撮影し、その撮影画像を作業工程表及び作業図面に対応付けて管理することにより、撮影後の撮影画像の煩雑な整理作業を省くとともに、当該撮影画像にアクセスしやすくし、各工程の作業内容や進捗状況を一目で容易に確認することが可能となっている。
ここでいう作業とは、例えば、構造物の建築、製品等の生産、装置や施設等の検査、あるいはその他調査等、作業についての画像を保存し管理することにより、その内容や進捗状況を確認可能な様々なものを含む。
【００２３】
＜第１の実施の形態の構成＞
図１は、本発明の第１の実施の形態における作業情報管理システムの構成を示す図である。以下、図を用いて、本実施の形態における作業情報管理システムの構成について説明を進める。
作業情報管理システムは、作業を行う複数の作業員により携帯される情報処理端末であって作業現場の撮影を行う作業情報登録装置１０と、作業情報登録装置１０により撮影された画像を収集し作業情報として管理する作業情報管理サーバ２０と、作業監督等により操作される情報処理端末であって上記作業情報管理サーバ２０にアクセスしてサーバ２０において管理される作業情報の確認が可能な作業情報確認装置３０と、上記作業情報登録装置１０及び作業情報管理サーバ２０を接続するインターネット、ＬＡＮ等のネットワーク４０とを有して構成される。
【００２４】
作業情報登録装置１０は、上述の通り、作業現場で各作業工程を行う作業員が携帯する移動通信端末であり、例えば、スマートフォン、携帯電話機、ＰＨＳ、ＰＤＡ、ノート型ＰＣ等である。
この作業情報登録装置１０は撮影機能を備えており、作業員は、作業情報登録装置１０を操作して、自分が担当する作業現場の風景を撮影し、その撮影画像である個別工程画像情報に対し作業内容、作業位置、撮影時期等の上記個別工程画像情報の内容を示す個別工程付加情報を付加して、作業情報管理サーバ２０へ送信して登録する。
また、作業員は、作業情報記録装置１０を操作して作業情報管理サーバ２０にアクセスし、上記作業情報管理サーバ２０に登録した上記個別工程画像情報及び個別工程付加情報を閲覧することができる。
【００２５】
作業情報管理サーバ２０は、作業の内容や進捗状況を管理する者又は事業者（以下、作業情報管理者という）により管理されるサーバ装置である。
作業情報管理サーバ２０は、複数の工程から構成される作業についての工程表を示す情報である作業工程表情報と、当該作業現場の位置関係を示す作業図面情報とを格納している。
作業情報管理サーバ２０は上記個別工程画像情報及び個別工程付加情報を作業情報登録装置１０から受信すると、これら受信した情報を上記作業工程表情報において該当する工程に関連付けて格納するとともに、上記作業図面情報において該当する作業場所に関連付けて格納（登録）する。
【００２６】
作業情報確認装置３０は、作業監督等、作業の内容及び進捗状況を管理する者により操作される情報処理端末であって、例えば、上記作業情報登録装置１０と同様に、スマートフォン、携帯電話機、ＰＨＳ、ＰＤＡ、ノート型ＰＣ等の携帯可能な移動通信端末であってもよいし、デスクトップ型のＰＣ等であってもよい。
作業監督等は、作業情報確認装置３０を操作して、作業情報管理サーバ２０にアクセスして上記作業工程表情報及び作業図面情報を閲覧することにより、作業の全体像を確認でき、さらには、これらの情報に対応付けられた画像情報及び個別工程付加情報を閲覧することにより、現在の作業内容及び進捗状況を容易に確認することができる。
【００２７】
図２は、本発明の第１の実施の形態における作業情報登録装置１０の構成を示す図である。
図に示すように、作業情報登録装置１０は、ＣＰＵ等からなり作業情報登録装置１０全体の動作を制御する制御部１１と、作業に関する情報を格納する情報格納部１２と、ネットワーク４０を介して情報の送受信を行う通信部１３と、ディスプレイ等により構成され情報を表示する表示部１４と、撮影ボタンや各種キーボタン等により構成され、操作することで情報を入力する操作部１５と、カメラ等で構成され、作業現場の映像を撮影する撮影部１６とを有して構成される。
さらに、上記制御部１１は、現在時刻の計時機能及びＧＰＳ等による現在位置の計測機能を有する。
また、表示部１４及び操作部１５は一体に構成され、タッチパネルを構成するようにしてもよい。
【００２８】
作業員は、操作部１５を操作して、表示部１４上に表示されている作業工程の内容を示す情報のうち、これから撮影する予定の作業現場の作業工程に関するものを選択した後に、撮影部１６により作業現場の風景を撮影し、その撮影画像に上記作業工程に関する情報を付加し、作業情報管理サーバ２０へ送信してその撮影画像の登録を行う。
【００２９】
また、図に示すように、情報格納部１２は、複数の工程からなる作業の工程表（各工程のスケジュールや場所等）を示す作業工程表情報と、当該作業を構成する各工程の作業場所や作業対象物等の項目を示す文字情報である個別工程情報と、当該作業における各工程の作業場所の位置を示す図面情報である作業図面情報と、上記撮影部１６により撮影された作業現場の風景の画像情報（静止画・動画）である個別工程画像情報と、その作業現場の工程に関する文字又は画像情報であって、その個別工程画像情報に付加される個別工程付加情報とを格納する。
【００３０】
上記個別工程付加情報は、対応付けた個別工程画像情報の内容を説明する文字又は画像情報であり、下記の選択項目情報と、撮影時間情報と、撮影位置情報と、作業員情報と、入力文字画像情報とを含む。
すなわち、個別工程付加情報は、これから撮影しようとする作業場所を表す複数の文字情報の候補から予め選択して上記個別工程画像情報に付加する選択項目情報と、制御部１１により計時される、撮影部１６で撮影した時間を表す撮影時間情報と、制御部１１により計測される、撮影部１６で撮影した位置を表す撮影位置情報と、上記個別工程画像情報を登録しようとする作業員の氏名・所属事業者等の識別情報である作業員情報と、撮影部１６による撮影後に操作部１５により入力される任意の文字又は画像情報である入力文字画像情報とを含むものである。
【００３１】
作業情報登録装置１０において撮影モードが起動されると、これから撮影しようとする作業現場に関連する項目情報が表示部１４上に自動的に表示される。
例えば、その項目情報としては、作業現場の階数の候補を示す文字情報である「１階」、「２階」、「３階」が表示される。作業員は、操作部１５を操作して、これら候補から適切なものを選択してから撮影ボタンを押下すると、作業情報登録装置１０は、撮影を行い、当該撮影により生成された個別工程画像情報に、選択した文字情報（例えば「１階」）を個別工程付加情報として付加して格納する。
【００３２】
図３は、本発明の第１の実施の形態における作業情報管理サーバ２０の構成を示す図である。
図に示すように、作業情報管理サーバ２０は、ＣＰＵ等からなり作業情報管理サーバ２０全体の動作を制御する制御部２１と、作業に関する情報を格納する情報格納部２２と、
ネットワーク４０を介して情報の送受信を行う通信部２３とを有して構成される。
【００３３】
図に示すように、作業情報管理サーバ２０の情報格納部２２は、作業情報登録装置１０と同様に、複数の工程からなる作業の工程表（各工程のスケジュールや場所等）を示す作業工程表情報と、当該作業を構成する各工程の作業場所や作業対象物を示す文字情報である個別工程情報と、当該作業における各工程の作業場所の位置を示す図面情報である作業図面情報とを格納する。
さらに、作業情報管理サーバ２０は、個別工程付加情報及びこれに付加された個別工程画像情報を作業情報登録装置１０から受信すると、上記作業工程表情報において、その受信した個別工程画像情報及びこれに付加された個別工程付加情報を上記作業工程表情報及び作業図面情報に対応付けて情報格納部２２に格納する。
このように個別工程画像情報及び個別工程付加情報が情報格納部２２に格納された後には、作業情報登録装置１０及び作業情報確認装置３０は、上記作業工程表情報及び作業図面情報を閲覧した上で、これら情報上の作業工程又は作業場所を指定することで、上記個別工程付加情報が付加された個別工程画像情報を閲覧することが可能となる。
【００３４】
また、情報格納部２２には、各工程がどの作業場所でどのスケジュールで行われるかを示すデータベースが格納されている。
【００３５】
＜第１の実施の形態の動作＞
（１）作業工程表情報表示後の撮影〜登録
図４は、本発明の第１の実施の形態における作業情報登録装置１０による個別工程画像情報の登録動作の流れを示すフローチャートであり、作業工程表情報を表示した後に登録する場合を示したものである。
以下、本図に沿って、作業員が、作業情報登録装置１０を操作して、作業工程表情報を閲覧して工程を指定してから、当該工程に関する作業現場の風景を撮影するときの動作について説明する。
【００３６】
まず、作業員は、作業情報登録装置１０の操作部１５を操作して、作業工程表情報の表示を要求する。
作業情報登録装置１０の制御部１１は、上記操作部１５の操作による作業工程表情報の表示要求を認識すると（ステップＳ１０１／Ｙｅｓ）、情報格納部１２に格納されている該当する作業工程表情報を読み出し、表示部１４上に表示する（ステップＳ１０２）。
【００３７】
図５は、本発明の第１の実施の形態における作業工程表情報の一例を示す図である。
図に示すように、作業工程表情報は、作業における各工程の日程及び作業場所（階数等）を示す情報である。
作業員は、作業情報登録装置１０を用いて上記作業工程表情報を閲覧することにより、作業の各工程の日程を容易に確認することができる。
【００３８】
次に、作業員は、操作部１５を操作して、表示されている作業工程表情報上に表示されている複数の個別の工程のうち、これから撮影する作業現場に関連する個別の工程を指定する。例えば、表示されている作業工程表情報上に示されている工程の名称をクリックして、当該工程を指定する。
【００３９】
制御部１１は、上記個別の工程が指定されたことを認識すると（ステップＳ１０３／Ｙｅｓ）、その指定された工程の個別工程情報を情報格納部１２から読み出し、表示部１４上に当該工程に関連する所定の項目を示す項目情報を表示する（ステップＳ１０４）。
【００４０】
図６は、本発明の第１の実施の形態における項目情報の一例を示す図である。
図の例では、撮影部１６のカメラによるファインダ画面、つまり撮影部１６によりこれから撮影しようとしている作業現場の風景が表示されており、その前面に項目情報が表示されている。
ここでは、例として、その表示される項目情報として、工程が行われる作業現場の階数、作業場所、作業対象物が表示されている。そして、階数は「１階」、「２階」、「３階」・・・、作業場所は「木製建具・家具扉」、「フローリング」、「キッチン・洗面」・・・、作業対象物は「ハンガーパイプ」、「木製建具」、「家具扉」・・・とそれぞれ複数の項目情報が表示部１４上に表示されている。
また、本例では表示部１４はタッチパネルを構成しており、その項目情報は、操作性を考慮して、選択候補の文字が縦方向に回転するリールドラム状のリストボックスを横方向に項目ごとに（階数、作業場所、作業対象物、・・・）並べて構成されている。
各リールドラム状のリストボックス部分を指等で触れたまま、タッチパネルに向かって上方又は下方にスライドさせると、実際のリールドラムが縦方向に回転するように、各項目ごとの選択候補の画像表示が変化する。
なお、本例の項目情報の内容はあくまで一例であり、作業工程を示す文字情報であればよく、これに限定されない。例えば、「壁紙全面施行済み」等進捗状況を示す情報を選択又は直接入力できるように構成してもよい。
また、表示方法についてもリールドラム状のリストボックスに限定されず、その他の表示・入力方法であってもよい。例えば、チェックボックス又はラジオボタン等他の表示・入力方法であってもよく、この場合は、階数、作業場所、作業対象物等各項目において該当する内容のものをクリックして選択する。
【００４１】
そして、作業員は、操作部１５を操作して、表示された項目情報のうち、これから撮影しようとする作業現場に関連するものを選択する（ステップＳ１０５）。
図６の例では、上述のように、リールドラム状のリストボックスの表示を変化させて、任意の項目情報を選択項目情報として「１階」、「木製建具・家具扉」、「ハンガーパイプ」のように選択する。
【００４２】
項目情報を選択後、図６に示される「項目表示」ボタンを押下等すると、上記項目情報の表示を隠し、撮影部１６のカメラのファインダ画面を表示部１４の画面全体に表示させることができる。
図７は、その撮影部１６のカメラのファインダ画面の一例を示す図である。
作業員は、項目情報を選択後、図７に示される「撮影」ボタンを押下して（ステップＳ１０６／Ｙｅｓ）、作業現場の風景を撮影し、当該撮影画像である個別工程画像情報を生成する（ステップＳ１０７）。
このとき、制御部１１は、この生成した個別工程画像情報に、上記選択項目情報を対応付けて情報格納部１２に格納する（ステップＳ１０８）。
【００４３】
次に、制御部１１は、情報格納部１２に格納されている作業員情報を参照し、当該作業員情報を上記個別工程画像情報に対応付けて情報格納部１２に格納する（ステップＳ１０９）。
【００４４】
次に、制御部１１は、自身の計時機能及びＧＰＳ機能等により、その撮影時（現在）の時間情報及び位置情報を取得し、上記個別工程画像情報に対応付けて情報格納部１２に格納する（ステップＳ１１０）。
【００４５】
また、このとき、作業員は、操作部１５を操作して、文字又は画像情報を入力して、上記個別工程画像情報に対応付けることができる。
制御部１１は、上記文字又は画像情報の入力を認識すると（ステップＳ１１１／Ｙｅｓ）、当該入力された文字又は画像情報を上記個別工程画像情報に合成して格納する（ステップＳ１１２）。
例えば、ここで行われる文字又は画像情報の合成としては、個別工程画像情報の画像上にメモ書きをしたり、当該画像中の特に重要な箇所に丸で囲んだり等がある。
【００４６】
そして、制御部１１は、上記のように個別工程付加情報（選択項目情報、時間情報、位置情報、作業員情報、入力文字画像情報）が付加された個別工程画像情報を作業情報管理サーバ２０へ送信し、登録する（ステップＳ１１３）。
【００４７】
図８は、本発明の第１の実施の形態における作業情報管理サーバ２０による個別工程画像情報の登録動作の流れを示すフローチャートである。
以下、本図に沿って、上述のように、作業情報管理サーバ２０が作業情報登録装置１０から送信された個別工程画像情報を受信し、登録するときの動作について説明する。
【００４８】
作業情報管理サーバ２０は、上記個別工程付加情報が付加された個別工程画像情報を作業情報登録装置１０から受信すると（ステップＳ１３１／Ｙｅｓ）、上記データベースを参照して、その個別工程付加情報に基づいて、個別工程画像情報がどの工程に関連するものかを判断する（ステップＳ１３２）。
【００４９】
そして、作業情報管理サーバ２０は、予め自機の情報格納部２２に格納している作業工程表情報において、上記受信した個別工程画像情報及び個別工程付加情報が関連する工程に対応付けて情報格納部２２に格納する（ステップＳ１３３）。
また、作業情報管理サーバ２０は、予め情報格納部２２に格納している作業図面情報において、上記受信した個別工程画像情報及び個別工程付加情報が関連する作業場所に対応付けて情報格納部２２に格納する（ステップＳ１３４）。
【００５０】
上述の通り、個別工程付加情報が付加された個別工程画像情報が作業情報管理サーバ２０に登録されると、作業員や作業監督は、作業情報登録装置１０又は作業情報確認装置３０を用いて作業情報管理サーバ２０へ作業工程表情報の取得要求を送信して、該当する作業工程表情報を受信して表示し、その表示されている作業工程表情報上の任意の工程を指定して、当該指定した工程の個別工程画像情報の取得要求を作業情報管理サーバ２０に対して送信すると、その指定した工程の個別工程付加情報が付加された個別工程画像情報を受信し、表示することができるようになる。
例えば、図５に示す作業工程表情報の例では、作業情報登録装置１０又は作業情報確認装置３０の操作部を用いて、１Ｆの「ハンガーパイプ」の文字をクリックすると、当該「ハンガーパイプ」の工程の個別工程画像情報の取得要求を作業情報管理サーバ２０に対して送信し、該当する個別工程付加情報が付加された個別工程画像情報を受信すると、その画面上に表示することができる。
【００５１】
また、作業員や作業監督は、作業情報登録装置１０又は作業情報確認装置３０を用いて、同様に作業図面情報を表示し、その表示されている作業図面情報上の任意の作業場所を指定して、当該指定した作業場所で行われる工程の個別工程画像情報の取得要求を作業情報管理サーバ２０に対して送信すると、その個別工程付加情報が付加された個別工程画像情報を受信し、表示することができるようになる。
図９は、本発明の第１の実施の形態における作業図面情報の一例を示す図である。
図に示すように、作業図面情報には複数の作業場所が示されており、個別工程画像情報が対応付けられている作業場所にはピンのアイコンが表示されている。
例えば、この図上のピンのアイコンを作業情報登録装置１０又は作業情報確認装置３０の操作部を用いてクリックすると、当該ピンの位置の作業場所の工程の個別工程画像情報の取得要求を作業情報管理サーバ２０に対して送信し、該当する個別工程付加情報が付加された個別工程画像情報を受信すると、その画面上に表示することができる。
【００５２】
図１０は、その作業情報登録装置１０又は作業情報確認装置３０に表示される、個別工程付加情報が付加された個別工程画像情報の一例を示す図である。
図に示すように、個別工程付加情報が付加された個別工程画像情報には、作業情報登録装置１０により撮影された作業現場の風景の画像と、この画像を説明する文字情報とが表示されている。
当該文字情報は、図に示すように、例えば、画像の登録者、当該登録者の所属事業者、当該個別工程画像情報が対応付けられている作業図面情報の識別情報（表示図面）、作業図面情報における当該個別工程画像情報の作業場所の位置（図面位置）、作業図面情報上においてその位置に表示されているピンの番号、当該個別工程画像情報が対応付けられている作業工程表情報における工程、その他コメント（文字画像入力情報）等がある。
【００５３】
また、作業員又は作業監督は、作業情報登録装置１０又は作業情報確認装置３０を用いて、個別工程付加情報が付加された個別工程画像情報の検索することができる。
このとき、作業員又は作業監督は、作業情報登録装置１０又は作業情報確認装置３０の操作部を用いて、工程の名称、作業場所の名称又は撮影の時期を示す時間情報等の個別工程付加情報を入力し、この入力した個別工程付加情報を作業情報管理サーバ２０へ送信して、当該個別工程付加情報が付加された個別工程画像情報の取得要求を行う。
作業情報管理サーバ２０は、その個別工程付加情報を作業情報登録装置１０又は作業情報確認装置３０から受信すると、情報格納部２２に格納されている個別工程画像情報から、当該受信した個別工程付加情報が付加されている個別工程画像情報を抽出して、取得要求をした作業情報登録装置１０又は作業情報確認装置３０へ送信する。
上記個別工程画像情報を受信した作業情報登録装置１０又は作業情報確認装置３０は、その受信した個別工程画像情報を画面上に表示することができる。
【００５４】
以上説明したように、作業員は、作業情報登録装置１０を用いて、まず作業工程表情報を表示させ、その作業工程表情報上に示される各工程から、これから撮影予定の工程を指定し、項目情報を選択した後に撮影を行う。
従って、作業員及び作業監督等は、上記撮影した作業現場の画像を撮影時の記憶や報告を思い出しながら後で整理する手間が省けるとともに、工程表や図面から容易に参照できる。すなわち、作業員及び作業監督等は、作業の各工程、各作業場所の内容や進捗状況を画像で直感的に把握することが可能となる。
【００５５】
また、作業情報登録装置１０は作業現場の風景を撮影するごとに、その撮影した個別工程画像情報及びこれに付加する個別工程付加情報を作業情報管理サーバ２０へ送信し、登録する。
従って、作業員又は作業監督等は、各工程における最新の作業内容及び進捗状況を常に把握することが可能となる。特に、複数の作業員がそれぞれ個別の工程を担当するような規模の大きな作業であっても、各作業員及び作業監督が、各工程の作業内容や進捗状況を容易に把握することが可能となる。
【００５６】
（２）作業図面情報表示後の撮影〜登録
図１１は、本発明の第１の実施の形態における作業情報登録装置１０による個別工程画像情報の登録動作の流れを示すフローチャートであり、作業図面情報を表示した後に登録する場合を示したものである。
以下、本図に沿って、作業員が、作業情報登録装置１０を操作して、作業図面情報を閲覧して作業現場を指定してから、当該作業現場の風景を撮影するときの動作について説明する。
また、特記しない限り、この図１１に沿って説明する作業図面情報表示後の個別工程画像情報の登録動作は、上述の図４，８に沿って説明した作業工程表情報表示後の登録動作と同様であるものとして説明を進める。
【００５７】
まず、作業員は、作業情報登録装置１０の操作部１５を操作して、作業図面情報の表示を要求する。
作業情報登録装置１０の制御部１１は、上記操作部１５の操作による作業図面情報の表示要求を認識すると（ステップＳ２０１／Ｙｅｓ）、情報格納部１２に格納されている該当する作業図面情報を読み出し、表示部１４上に表示する（ステップＳ２０２）。
【００５８】
次に、作業員は、操作部１５を操作して、表示されている作業図面情報上に表示されている複数の作業場所のうち、これから撮影する作業場所を指定する。
制御部１１は、上記作業場所が指定されたことを認識すると（ステップＳ２０３／Ｙｅｓ）、その指定された工程の個別工程情報を情報格納部１２から読み出し、表示部１４上に当該工程に関連する所定の項目を示す項目情報を表示する（ステップＳ２０４）。
【００５９】
その後の項目情報の選択から、個別工程画像情報及び個別工程付加情報を作業情報管理サーバ２０へ送信するまでの動作（ステップＳ２０５〜Ｓ２１３）と、作業情報管理サーバ２０における個別工程画像情報等の登録動作は、ステップＳ１０５〜Ｓ１１３，Ｓ１３１〜Ｓ１３４の動作と同様であるので、その説明を省略する。
【００６０】
以上説明したように、作業員は、作業情報登録装置１０を用いて、まず作業図面情報を表示させ、その作業図面情報上に示される作業場所から、これから撮影予定の工程の作業場所を指定し、項目情報を選択した後に撮影を行う。
従って、作業員及び作業監督等は、上記撮影した作業現場の画像を撮影時の記憶や報告を思い出しながら後で整理するという煩雑な作業が省けるとともに、工程表や図面から容易に参照できる。すなわち、作業員及び作業監督等は、作業の各工程、各作業場所の内容や進捗状況を画像で直感的に把握することが可能となる。
【００６１】
（３）フォルダ指定後の撮影〜登録
図１２は、本発明の第１の実施の形態における作業情報登録装置１０による個別工程画像情報の登録動作の流れを示すフローチャートであり、その個別工程画像情報を管理するフォルダ（ディレクトリ）を指定した後に登録する場合を示したものである。
以下、本図に沿って、作業員が、作業情報登録装置１０を操作して、上記フォルダを指定してから、作業現場の風景を撮影するときの動作について説明する。
また、特記しない限り、この図１２に沿って説明するフォルダ指定後の個別工程画像情報の登録動作は、上述の図４に沿って説明した作業工程表情報表示後の登録動作と同様であるものとして説明を進める。
【００６２】
上述の図４，１１に示す例では、個別工程画像情報及び個別工程付加情報は、作業工程表情報及び作業図面情報において該当する工程又は作業場所に自動的に対応付けられ、作業情報管理サーバ２０に登録されるものであった。
これに対し、図１２に示す例では、作業員が、自分が後で撮影した画像を探しやすいように、作業情報登録装置１０において予めタイトル入力済みのフォルダ（「１階」、「木製建具・家具扉」、・・・）を作成しておき、そのフォルダ内により個別工程画像情報を管理する。
【００６３】
まず、作業員は、作業情報登録装置１０の操作部１５を操作して、予め作成した１以上のフォルダのうち、これから撮影する画像（個別工程画像情報）を管理する任意のフォルダを選択する。
制御部１１は、上記フォルダが指定されたことを認識すると（ステップＳ３０１／Ｙｅｓ）、その指定されたフォルダの個別工程情報を情報格納部１２から読み出し、表示部１４上に当該フォルダに関連する所定の項目を示す項目情報を表示する（ステップＳ３０２）。
【００６４】
その後の項目情報の選択から、時間位置情報を取得して付加するまでの動作（ステップＳ３０３〜Ｓ３０８）は、ステップＳ１０５〜Ｓ１１０と同様であるので、その説明を省略する。
【００６５】
次に、制御部１１は、情報格納部１２に格納されている上記指定したフォルダを特定するための情報（以下、フォルダ特定情報という）を上記個別工程画像情報に対応付けて情報格納部１２に格納する（ステップＳ３０９）。
【００６６】
次に、制御部１１は、上記文字又は画像情報の入力を認識すると（ステップＳ３１０／Ｙｅｓ）、当該入力された文字又は画像情報を上記個別工程画像情報に合成して格納する（ステップＳ３１１）。
【００６７】
そして、制御部１１は、上記のように個別工程付加情報（選択項目情報、時間情報、位置情報、作業員情報、フォルダ特定情報、入力文字画像情報）が付加された個別工程画像情報を作業情報管理サーバ２０へ送信し、登録する（ステップＳ３１２）。
【００６８】
その後の作業情報管理サーバ２０における個別工程付加情報が付加された個別工程画像情報の登録動作については、図８のステップＳ１３１〜Ｓ１３４と同様であるので、その説明を省略する。
ただし、本例では、個別工程付加情報として、さらに個別工程画像情報にフォルダ特定情報も付加されて作業情報管理サーバ２０に登録される。
【００６９】
このように、本例では、作業情報管理サーバ２０においてフォルダ特定情報を付加して個別工程画像情報等を格納するので、個別工程画像情報及び個別工程付加情報をフォルダ（フォルダ名）と対応付けて管理することができる。
従って、作業員は、作業情報登録装置１０の操作部１５を操作して、表示部１４に表示されている１つ以上のフォルダのアイコンのうち任意のものを指定すると、作業情報登録装置１０は当該フォルダのフォルダ特定情報を作業情報管理サーバ２０へ送信して、当該フォルダを指定して登録した個別工程画像情報の取得要求をする。
作業情報管理サーバ２０は、そのフォルダ特定情報を受信すると、当該受信したフォルダ特定情報が付加された個別工程画像情報を情報格納部２２から読み出し、作業情報登録装置１０へ送信する。
作業情報登録装置１０は、その個別工程画像情報を作業情報管理サーバ２０から受信すると、その受信した個別工程画像情報を表示部１４上に表示することができる。
【００７０】
このように、作業員は、作業情報登録装置１０を用いて、まずフォルダ名を決定して１以上のフォルダを作業情報登録装置１０の情報格納部１２に生成し、これらフォルダから任意のものを指定した後に撮影を行い、この撮影の際に生成された個別工程画像情報に指定したフォルダを特定する情報を付加して作業情報管理サーバ２０において格納するので、作業員は、通常通り、作業工程表情報又は作業図面情報から個別工程画像情報を閲覧することもできるし、フォルダを指定することにより容易に個別工程画像情報の検索を行い、閲覧することができる。
また、作業員が任意の名称に定めて、上記フォルダを作成することができるので、例えば、「１階のキッチンの個別工程画像情報」といったように、作業員自身が参照しやすいようカスタマイズして個別工程画像情報を容易に整理することが可能となる。
【００７１】
〔第２の実施の形態〕
＜第２の実施の形態の概要＞
本発明の第２の実施の形態における作業情報管理システムは、作業情報確認装置３０が格納するツリー構造で構成される項目情報を、作業現場での撮影を行う作業情報登録装置１０との間で共有することにより、最終的には、作業情報確認装置３０において、個別工程画像情報をツリー構造で容易に管理可能なことを特徴とするものである。
以下、特記しない限り、本実施の形態における作業情報管理システムは、第１の実施の形態と同様であるものとする。
【００７２】
＜第２の実施の形態の構成＞
本実施の形態における作業情報管理システムの構成は、以下特記しない限り、図１に示す第１の実施の形態と同様であるものとする。
【００７３】
作業情報確認装置３０は、第１の実施の形態と同様に、作業監督や作業員等により操作される情報処理端末である。
図１３は、本発明の第２の実施の形態における作業情報確認装置３０の構成を示す図である。
図に示すように、作業情報確認装置３０は、ＣＰＵ等からなり作業情報確認装置３０全体の動作を制御する制御部３１と、作業に関する情報を格納する情報格納部３２と、ネットワーク４０を介して情報の送受信を行う通信部３３と、ディスプレイ等により構成され情報を表示する表示部３４と、撮影ボタンや各種キーボタン等により構成され、操作することで情報を入力する操作部３５とを有して構成される。
さらに、上記制御部３１は、現在時刻の計時機能及びＧＰＳ等による現在位置の計測機能を有する。
また、表示部３４及び操作部３５は一体に構成され、タッチパネルを構成するようにしてもよい。
【００７４】
図に示すように、情報格納部３２は、初期状態で、第１の実施の形態と同様の作業工程表情報と、作業図面情報と、作業工程情報とを格納している。
【００７５】
これら各情報に加え、情報格納部３２は、ツリー構造の項目情報を格納している。
本実施の形態では、ある階層の項目情報の１つ下位の階層に複数の項目情報が対応付けられ、これら複数の項目情報のそれぞれの１つ下位の階層にはさらに１以上の項目情報が対応付けられ、これが複数階層分同様に繰り返されてツリー構造の項目情報が構成される。
図１４は、本発明の第２の実施の形態におけるツリー構造の項目情報の一例を示す図である。
図の例では、ツリー構造の項目情報は、項目情報Ｄ１，Ｄ２，Ｄ３の３つの階層から構成されている。本例では、項目情報Ｄ１は作業現場の階数、項目情報Ｄ２は作業対象物（作業対象箇所）の大区分、項目情報Ｄ３は作業対象物（作業対象箇所）の小区分をそれぞれ表し、Ｄ１，Ｄ２，Ｄ３の順に上位→下位階層の項目情報となっている。
なお、本例において、ツリー構造の項目情報は、３つの階層から構成されているが、その階層数はこれに限定されず、また、項目情報の名称等も限定されない。
【００７６】
例えば、ツリー構造の項目情報は、「１階」，「２階」，・・・といった複数の項目情報Ｄ１により構成され、そのうち項目情報Ｄ１「１階」の下位には、複数の項目情報Ｄ２「木製建具・家具扉」，「フローリング」，「キッチン・洗面」，・・・が紐付けされ（対応付けられ）、さらに、そのうち項目情報Ｄ２「木製建具・家具扉」の下位には、複数の項目情報Ｄ３「家具扉」，「木製建具」，「ハンガーパイプ」，・・・が紐付けされている。
【００７７】
上記ツリー構造の項目情報、作業工程表情報、作業図面情報及び作業工程情報は、作業情報確認装置３０生産時に初めから情報格納部３２に格納されていてもよいし、操作部３５を構成するキーボードやスキャナで入力したり、あるいはＣＤ−ＲＯＭから読み込んだり、インターネットを介して所定のサーバ等からダウンロードしたりしてソフトウェアを作業情報確認装置３０にインストールしたりすることにより、情報格納部３２に格納するようにしてもよい。
【００７８】
作業監督や作業員等は、作業情報確認装置３０を用いて、上記ツリー構造の項目情報を作業情報管理サーバ２０へ送信して登録し、作業情報登録装置１０が当該ツリー構造の項目情報を取得可能な状態にする。
作業情報登録装置１０は、そのツリー構造の項目情報を作業情報管理サーバ２０から受信し自装置１０に登録すると、画像撮影のときに、当該ツリー構造の項目情報に含まれる複数の項目情報をそのツリー構造を保ったままリールドラム状のリストボックス上に表示することが可能となる。
【００７９】
図１５は、そのツリー構造の項目情報が作業情報登録装置１０の情報格納部１２に登録された後の、作業情報登録装置１０による画像撮影時の画面情報の一例を示す図である。
図に示すように、図に向かって左側から項目情報Ｄ１，Ｄ２，Ｄ３が示されている。
作業員等は、操作部１５を操作して、画面上の項目情報を選択する。図中の網掛け部分は、その選択された項目情報を示している。
例えば、項目情報Ｄ１において「１階」が選択されると、項目情報Ｄ１「１階」の下位に紐付けられている項目情報Ｄ２「木製建具・家具扉」，「フローリング」，「キッチン・洗面」，・・・が表示される。つまり、項目情報Ｄ１に紐付けられていない項目情報Ｄ２は表示されない。
さらに、それら表示された複数の項目情報Ｄ２のうち「木製建具・家具扉」が選択されると、同様に項目情報Ｄ２「木製建具・家具扉」の下位に紐付けられている項目情報Ｄ３「家具扉」，「木製建具」，「ハンガーパイプ」が表示される。つまり、項目情報Ｄ２に紐付けられていない項目情報Ｄ３は表示されない。
このように、項目情報を選択すると、その下位に紐付けられている項目情報のみが表示され、余分な選択候補は表示されないので、作業員等は、画像撮影時に、項目情報を容易かつ迅速に選択することが可能となる。
作業員等は、第１の実施の形態と同様に、作業情報登録装置１０を用いて、その表示された複数の項目情報報を選択して画像撮影を行う。
【００８０】
上記のように、作業情報登録装置１０は、項目情報を選択して画像を撮影すると、第１の実施の形態と同様に、その撮影画像である個別工程画像情報及びその選択した項目情報（選択項目情報）を含む個別工程付加情報を生成し、その個別工程画像情報に、その個別工程付加情報を対応付けて格納する。
その後、作業員等は、作業情報登録装置１０を用いて、これら個別工程画像情報及びこれに対応付けた個別工程付加情報を作業情報管理サーバ２０へ送信して登録する。
【００８１】
図１６は、その作業情報管理サーバ２０の情報格納部２２に登録された個別工程画像情報及びこれに対応した個別工程付加情報の一例を示す図である。
図に示すように、各個別工程画像情報には、例えば作業情報管理サーバ２０が受信した順に識別番号が付与され、この個別工程画像情報に各個別工程付加情報（項目情報等）が紐付けられて、作業情報管理サーバ２０の情報格納部２２に格納される。
【００８２】
上述のように、作業情報確認装置３０の情報格納部３２は、複数階層からなるツリー構造の項目情報を格納する。
これに加えて、情報格納部３２は、上記のツリー構造の項目情報を構成する複数の各項目情報に紐付けして、複数の項目情報のフォルダを格納している。
これら複数のフォルダのうち、最下位階層以外のフォルダには、１つ下位の階層のフォルダが格納され、最下位階層のフォルダには、個別工程画像情報及びこれに対応した個別工程付加情報が格納される。
作業情報確認装置３０は、個別工程画像情報及びこれに対応した個別工程付加情報を作業情報管理サーバ２０から受信すると、その個別工程付加情報に含まれる選択項目情報に基づいて、個別工程画像情報及びこれに対応付けられた個別工程付加情報を該当する（最下位階層の）項目情報のフォルダに振り分けて、そのフォルダ内に格納する。
【００８３】
図１７は、作業情報確認装置３０の表示部３４上において、ツリー構造の項目情報のフォルダが表示される画面情報の一例を示す図である。
作業情報確認装置３０が受信した個別工程画像情報及びこれに対応付けられた個別工程付加情報は、その個別工程付加情報の選択項目情報（例えば「１階」→「木製建具」→「家具扉」）に基づいて、これに該当するフォルダ内に格納される。
【００８４】
本例では、操作部３５により最下位階層以外のフォルダを選択すると、１つ下位の階層のフォルダを表示し、最下位階層のフォルダを選択すると、当該フォルダ内の個別工程画像情報及びこれに対応付けられた個別工程付加情報が表示部３４に表示されるよう構成されている。
図１８は、その最下位階層の項目情報（ここでは「木製建具」）のフォルダ内に格納されている個別工程画像情報及びこれに対応付けられた個別工程付加情報の表示画面の一例を示す図である。
図に示すように、最下位階層の項目情報「木製建具」のフォルダを選択すると、このフォルダ内に格納されている個別工程画像情報と、これに紐付けされた選択項目情報（１階，木製建具・家具扉，木製建具），撮影時間情報（撮影日時），撮影位置情報（緯度，経度，方角）等の個別工程付加情報とが表示される。
【００８５】
また、操作部３５を操作して、個別工程画像情報とともに表示部３４画面上に表示されている撮影位置情報の部分を選択等すると、その撮影位置を表す地図情報が表示部３４に表示される。
図１９は、その地図情報の一例を示す図である。
図に示すように、撮影位置情報で表される地図上の該当位置に、選択項目情報が示されたピンが表示される。
【００８６】
また、情報格納部３２に格納されるツリー構造の上位→下位階層の１組の項目情報（例えば「１階」，「木製建具・家具扉」，「家具扉」）は、同様に情報格納部３２に格納される作業工程表情報の各工程を示す個別工程情報に対応している。
従って、作業情報確認装置３０が作業情報管理サーバ２０から個別工程画像情報及びこれに対応付けられた個別工程付加情報を受信すると、当該受信した個別工程画像情報等は、上述のように、ツリー構造の項目情報の各フォルダ内に格納されるとともに、受信した個別工程付加情報に含まれる選択項目情報と一致する個別工程情報に対応付けられて情報格納部３２に格納される。
その後、作業監督等は、作業情報確認装置３０を用いて、作業工程表情報を表示部３４上に表示し、その工程表上の工程名の部分を操作部３５によりクリック等すると、該当する工程（個別工程情報）の個別工程画像情報及びこれに対応付けられた個別工程付加情報が表示部３４上に表示される。
【００８７】
また、情報格納部３２に格納される作業図面情報においては、その図面画像上に示される各作業現場の位置は、位置情報（緯度・経度・方角）に対応付けられている。
作業情報確認装置３０が作業情報管理サーバ２０から個別工程画像情報及びこれに対応付けられた個別工程付加情報を受信すると、当該受信した個別工程画像情報等は、上述のように、ツリー構造の項目情報の（最下位階層の）各フォルダ内に格納され、個別工程情報に対応付けられて格納されるとともに、受信した個別工程付加情報に含まれる位置情報（緯度・経度・方角）と一致する作業図面情報の図面画像上に示される各作業現場の位置に対応付けられて情報格納部３２に格納される。
その後、作業監督等は、作業情報確認装置３０を用いて、作業図面情報を表示部３４上に表示し、その図面画像上の作業現場の位置を操作部３５によりクリック等すると、該当する位置の個別工程画像情報及びこれに対応付けられた個別工程付加情報が表示部３４上に表示される。
【００８８】
＜第２の実施の形態の動作＞
図２０は、本発明の第２の実施の形態における作業情報管理システムによる個別工程画像情報及びこれに対応付けられた個別工程付加情報の登録動作の流れを示すシーケンスチャートである。
以下、本図に沿って、本実施の形態において、作業情報登録装置１０が、作業情報管理サーバ２０を介して作業情報確認装置３０からツリー構造の項目情報を受信して登録した後に、作業現場を撮影し、その撮影画像等（個別工程画像情報及び個別工程付加情報）が作業情報確認装置３０に登録されるまでの動作について説明する。
【００８９】
まず、作業監督等は、作業情報確認装置３０を用いて、情報格納部３２に格納されているツリー構造の項目情報を作業情報管理サーバ２０へ送信する（ステップＳ４０１）。
作業情報管理サーバ２０は、そのツリー構造の項目情報を作業情報確認装置３０から受信すると、情報格納部２２に登録する（ステップＳ４０２）。
【００９０】
その後、作業員等は、作業情報登録装置１０を用いて、作業現場での画像撮影の前に、自身が担当する作業現場についてのツリー構造の項目情報の取得を作業情報管理サーバ２０に対して要求する（ステップＳ４０３）。
作業情報管理サーバ２０は、その取得要求に応じて、該当するツリー構造の項目情報を作業情報登録装置１０へ送信する（ステップＳ４０４）。
作業情報登録装置１０は、そのツリー構造の項目情報を作業情報管理サーバ２０から受信すると、情報格納部１２に格納する（ステップＳ４０５）。既にツリー構造の項目情報が情報格納部１２に格納されている場合は、その新たに受信したツリー構造の項目情報に更新する。
【００９１】
そして、作業員等は、作業情報登録装置１０を用いて、例えば「１階」→「木製建具」→「家具扉」といったように項目情報を選択した後に、作業現場で画像を撮影する（ステップＳ４０６）。
このとき、作業情報登録装置１０は、撮影した作業現場の画像を個別工程画像情報として情報格納部１２に格納するとともに、上記選択した項目情報を当該個別工程画像情報に対応付けて情報格納部１２に格納する。
また、作業情報登録装置１０は、現在時間及び現在位置をタイマーやＧＰＳ等により自動取得し、撮影時間情報及び撮影位置情報（緯度，経度，方角）として同様に個別工程画像情報に対応付けて情報格納部１２に格納する。
【００９２】
その後、作業員等は、作業情報登録装置１０を用いて、格納した個別工程画像情報及びこれに対応付けられた個別工程付加情報を作業情報管理サーバ２０へ送信する（ステップＳ４０７）。
作業情報管理サーバ２０は、作業情報登録装置１０から受信した個別工程画像情報及びこれに対応付けられた個別工程付加情報を登録する（ステップＳ４０８）。
【００９３】
その後、作業監督等は、作業情報確認装置３０を用いて、作業員等が撮影した作業現場の画像を確認するために、上記作業情報登録装置１０により作業情報管理サーバ２０に登録された個別工程画像情報及びこれに対応付けられた個別工程付加情報の取得を作業情報管理サーバ２０に対して要求する（ステップＳ４０９）。
作業情報管理サーバ２０は、その取得要求された個別工程画像情報及びこれに対応付けられた個別工程付加情報を作業情報確認装置３０へ送信する（ステップＳ４１０）。
【００９４】
作業情報確認装置３０は、その作業情報管理サーバ２０から送信された個別工程画像情報及びこれに対応付けられた個別工程付加情報を自装置の情報格納部３２に格納して登録する（ステップＳ４１１）。
このとき、作業情報確認装置３０は、受信した個別工程画像情報を、その付加されている個別工程付加情報の選択項目情報と同一のツリー構造の項目情報の該当フォルダ内に格納する。
例えば、図１６の画像識別番号「０００１」の個別工程画像情報は、選択項目情報Ｄ１〜Ｄ３は「１階」，「フローリング」，「パネル貼り」であるので、図４のツリー構造の項目情報では、５段目に示される「１階」フォルダ内の「フローリング」フォルダのさらにそのフォルダ内の「パネル貼り」フォルダに格納される。
また、このとき、作業情報確認装置３０は、個別工程画像情報及びこれに対応付けられた個別工程付加情報は、該当する作業工程表情報の個別工程情報、及び該当する作業図面情報の図面画像上の作業現場の位置に対応付けて情報格納部３２に格納する。
【００９５】
このように、作業監督等は、作業員等による作業現場の画像撮影前に、作業情報確認装置３０を用いて、予めツリー構造の項目情報を作業情報管理サーバ２０に登録しておき、作業情報登録装置１０は、そのツリー構造の項目情報を取得してその項目情報を付加して作業現場の画像撮影を行い、作業情報確認装置３０がその作業情報登録装置１０の撮影画像（個別工程画像情報）を取得するとき、その撮影画像はツリー構造の項目情報のフォルダ内に自動的に振り分けて格納するので、作業監督等は、作業員等により撮影された作業現場の画像を整理する手間が省くことができるとともに、作業現場の様子を容易に把握することができ、管理・監督を容易に行うことが可能となる。
特に、実際のマンション等の建築の作業現場では、多くの作業員が携わり複数の端末（作業情報登録装置１０）から画像が送られ、さらには必ずしも１階から順に画像が送られてくる訳でもないので、本実施の形態における作業情報管理システムが奏する「作業現場の画像を項目別に振り分けたり、並べ替えたりする必要がない」という効果は非常に大きい。
【００９６】
また、作業監督等は、ツリー構造の項目情報の階層構造の変更や、項目情報のフォルダの追加・削除・変更を行うときには、作業情報確認装置３０を用いて、新たなツリー構造の項目情報を作業情報管理サーバ２０に送信し登録を行い、作業員等もその新たなツリー構造の項目情報を作業情報登録装置１０に格納して撮影を行う。
【００９７】
また、作業監督等は、作業情報確認装置３０を用いて、ツリー構造の項目情報を作業現場ごとに作成し作業情報管理サーバ２０に登録するようにしてもよい。
この場合、作業監督等は、複数の作業現場の様子を容易に管理・監督することが可能となる。
【００９８】
＜まとめ＞
以上説明したように、本発明の第１及び第２の実施の形態における作業情報管理システムは、作業工程表情報においてこれから撮影しようとする作業現場の工程を指定し、あるいは作業図面情報において作業場所の位置を指定し、撮影前にタッチパネル上のリールドラム状のリストボックス等を用いて極めて容易な操作で、その工程に関連する文字情報である項目情報を選択し、撮影後には、その撮影の際に生成した個別工程画像情報に上記（選択）項目情報を付加して作業情報管理サーバ２０へ送信して登録する。
そして、作業情報管理サーバ２０は、その選択項目情報等に基づいて、作業情報登録装置１０から受信した個別工程画像情報を、作業工程表情報上の該当する工程、及び作業図面情報上の該当する作業場所の位置に対応付けて管理する。
従って、上記作業工程の画像を容易に閲覧することができ、各工程の作業内容や進捗状況を容易に把握することが可能となる。特に、複数の作業員により複数の作業場所で複数の工程を行うときであっても、各作業員や作業監督が、自身・他人の担当する工程の作業内容や進捗状況を容易に共有することができる。
【００９９】
また、本発明の第２の本実施の形態における作業情報管理システムによれば、作業情報登録装置１０は、作業情報確認装置３０により予め登録されていたツリー構造の項目情報を作業情報管理サーバ２０から取得して、その項目情報を付加して作業現場の画像撮影を行い、その撮影画像（個別工程画像情報）を作業情報管理サーバ２０に登録し、作業情報確認装置３０は、その作業情報登録装置１０の撮影画像を作業情報管理サーバ２０から取得し、ツリー構造の項目情報のフォルダ内に自動的に振り分けて格納するので、作業監督等は、作業員等により撮影された作業現場の画像を整理する手間が省け、作業現場の様子を容易に把握することができ、管理・監督を容易に行うことが可能となる。
【０１００】
なお、本発明の第１及び第２の形態では、作業情報登録装置１０は、撮影前に項目情報を表示し、選択し、撮影後に個別工程画像情報に個別工程付加情報を付加するよう構成されているが、撮影後に項目情報を表示し、選択するよう構成してもよい。
【０１０１】
また、個別工程付加情報は、電子情報技術産業協会（ＪＥＩＴＡ）により定められているデジタルスチルカメラ用画像ファイルフォーマット規格（Ｅｘｉｆ）に従ったファイル形式のデータであってもよい。
例えば、個別工程付加情報は、撮影位置情報及び撮影時間情報に加え、撮影した作業情報登録装置１０の機種名、画像圧縮モード、ズーム倍率、露出設定、レンジ焦点距離等様々なデータを含むよう構成してもよい。
【０１０２】
上記の作業情報登録装置１０、作業情報管理サーバ２０及び作業情報確認装置３０は、主にＣＰＵとメモリにロードされたプログラムによって実現される。ただし、それ以外の任意のハードウェアおよびソフトウェアの組合せによってこの装置またはサーバを構成することも可能であり、その設計自由度の高さは当業者には容易に理解されるところである。
また、上記の業情報登録装置１０、作業情報管理サーバ２０及び作業情報確認装置３０をソフトウェアモジュール群として構成する場合、このプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【０１０３】
なお、上記の実施例は本発明の好適な実施の一例であり、本発明の実施例は、これに限定されるものではなく、本発明の要旨を逸脱しない範囲において種々変形して実施することが可能となる。
【符号の説明】
【０１０４】
１０    作業情報登録装置
１１，２１，３１    制御部
１２，２２，３２    情報格納部
１３，２３，３３    通信部
１４，３４    表示部
１５，３５    操作部
１６    撮影部
２０    作業情報管理サーバ
３０    作業情報確認装置
４０    ネットワーク
【図１】
0005994979.tif 000002
【図２】
0005994979.tif 000003
【図３】
0005994979.tif 000004
【図４】
0005994979.tif 000005
【図５】
0005994979.tif 000006
【図６】
0005994979.tif 000007
【図７】
0005994979.tif 000008
【図８】
0005994979.tif 000009
【図９】
0005994979.tif 000010
【図１０】
0005994979.tif 000011
【図１１】
0005994979.tif 000012
【図１２】
0005994979.tif 000013
【図１３】
0005994979.tif 000014
【図１４】
0005994979.tif 000015
【図１５】
0005994979.tif 000016
【図１６】
0005994979.tif 000017
【図１７】
0005994979.tif 000018
【図１８】
0005994979.tif 000019
【図１９】
0005994979.tif 000020
【図２０】
0005994979.tif 000021